(57)【要約】【課題】  必要な領域を過不足なく照明可能なＬＥＤ照明装置を提供すること。【解決手段】  ＬＥＤ照明装置Ａ１は、ｙ方向における一方側に複数のＬＥＤモジュールが設置される設置面２０を備えている。設置面２０のｚ方向における一方側の第１の端縁２１は、ｚ方向視においてｘ方向における中央部が両端部よりもｙ方向における他方側に凹むように形成されている。ｚ方向における他方側の第２の端縁２２は、ｚ方向視においてｘ方向における中央部が両端部よりもｙ方向における他方側に凹んでいる。第１の端縁２１のｘ方向における中央部は、第２の端縁２２のｘ方向における中央部よりもｙ方向における一方側に位置している。このような設置面２０にＬＥＤモジュールを配置することで作業机Ｄを過不足なく照明することができる。【選択図】  図１
2012150898.tif 000002
【特許請求の範囲】
【請求項１】
照射領域を照明する複数のＬＥＤチップと、
上記複数のＬＥＤチップを保持する保持手段と、
を備えたＬＥＤ照明装置であって、
上記保持手段は、上記複数のＬＥＤチップが設置される設置面を備えており、
上記設置面の上記第１の方向における両端部と、上記第１の方向における中央部とが上記第１の方向と直交する第２の方向において異なる位置にあることを特徴とする、ＬＥＤ照明装置。
【請求項２】
上記設置面は、上記保持手段の上記第２の方向における一方側に配置されており、
上記設置面の上記第１の方向および上記第２の方向と直交する第３の方向における一方側の第１の端縁の上記第１の方向における中央部は、上記第１の端縁の上記第１の方向における両端部よりも上記第２の方向における他方側に位置し、かつ、上記第３の方向における他方側の第２の端縁の上記第１の方向における中央部よりも上記第２の方向における一方側に位置しており、
上記第２の端縁の上記第１の方向における中央部は、上記第２の端縁の上記第１の方向における両端部よりも上記第２の方向における他方側に位置している、請求項１に記載のＬＥＤ照明装置。
【請求項３】
上記第２の端縁が上記第１の端縁よりも長くなっている、請求項２に記載のＬＥＤ照明装置。
【請求項４】
上記設置面は、上記第２の方向における一方側ほど上記第３の方向において上記照射領域から遠ざかるように形成されており、かつ、上記第１の端縁と上記第２の端縁とを結んだ線よりも上記第２の方向における他方側に位置している、請求項２または３に記載のＬＥＤ照明装置。
【請求項５】
上記照射領域は、上記第３の方向視において一辺が上記第１の方向に沿う矩形状であり、
上記保持手段は、上記第３の方向視において上記第１の方向における中央部が両端部よりも上記第２の方向における他方側に凹むように湾曲する湾曲設置部と、
上記湾曲設置部を上記第３の方向において上記照射領域から離間させる支柱と、を備えており、
上記支柱は上記湾曲設置部の上記第２の方向における他方側と連結されており、かつ、上記照射領域の上記第２の方向における他方側の端縁に配置されており、
上記設置面は上記湾曲設置部に設けられている、請求項２ないし４のいずれかに記載のＬＥＤ照明装置。
【請求項６】
上記湾曲設置部は上記第２の方向における一方側に基板設置面を有しており、
上記保持手段は、厚み方向における一方の面で上記基板設置面と密着するフレキシブル配線基板を備えており、
上記設置面は、上記フレキシブル配線基板の上記厚み方向における他方の面である、請求項５に記載のＬＥＤ照明装置。
【請求項７】
上記設置面は、上記第３の方向において上記照射領域との距離が異なる複数の帯状領域を有しており、
上記第３の方向において上記照射領域からより近い距離にある帯状領域ほどより多数の上記ＬＥＤチップが設置されている、請求項２ないし６のいずれかに記載のＬＥＤ照明装置。
【請求項８】
上記設置面は、上記保持手段の上記第２の方向における一方側に配置されており、
上記設置面の上記第１の方向および上記第２の方向と直交する第３の方向における一方側の第１の端縁の上記第１の方向における中央部は、上記第１の端縁の上記第１の方向における両端部よりも上記第２の方向における一方側に位置し、かつ、上記第３の方向における他方側の第２の端縁の上記第１の方向における中央部よりも上記第２の方向における一方側に位置しており、
上記第２の端縁の上記第１の方向における中央部は、上記第２の端縁の上記第１の方向における両端部よりも上記第２の方向における一方側に位置している、請求項１に記載のＬＥＤ照明装置。
【請求項９】
上記第１の端縁が上記第２の端縁よりも長くなっている、請求項８に記載のＬＥＤ照明装置。
【請求項１０】
上記設置面は、上記第２の方向における一方側ほど上記第３の方向において上記照射領域から遠ざかるように形成されており、かつ、上記第１の端縁と上記第２の端縁とを結んだ線よりも上記第２の方向における一方側に位置している、請求項８または９に記載のＬＥＤ照明装置。
【請求項１１】
上記照射領域は、上記第３の方向視において一辺が上記第１の方向に沿う矩形状であり、
上記保持手段は、上記第３の方向視において上記第１の方向における中央部が両端部よりも上記第３の方向における一方側に突き出すように湾曲する湾曲設置部と、
上記湾曲設置部を上記第３の方向において上記照射領域から離間させる支柱と、を備えており、
上記支柱は上記湾曲設置部の上記第２の方向における他方側と連結されており、かつ、上記照射領域の上記第２の方向における他方側の端縁に配置されており、
上記設置面は上記湾曲設置部に設けられている、請求項８ないし１０のいずれかに記載のＬＥＤ照明装置。
【請求項１２】
上記湾曲設置部は上記第２の方向における一方側に基板設置面を有しており、
上記保持手段は、厚み方向における一方の面で上記基板設置面と密着するフレキシブル配線基板を備えており、
上記設置面は、上記フレキシブル配線基板の上記厚み方向における他方の面である、請求項１１に記載のＬＥＤ照明装置。
【請求項１３】
上記設置面は、上記第３の方向において上記照射領域との距離が異なる複数の帯状領域を有しており、
上記第３の方向において上記照射領域からより遠い距離にある帯状領域ほどより多数の上記ＬＥＤチップが設置されている、請求項８ないし１２のいずれかに記載のＬＥＤ照明装置。
【請求項１４】
上記設置面は、複数の区域に区画されており、
上記各区域は上記複数のＬＥＤチップのうち少なくとも１以上のＬＥＤチップが設置されており、
上記複数のＬＥＤチップを設置されている区域ごとに分けて制御する制御手段を有している、請求項１ないし１３のいずれかに記載のＬＥＤ照明装置。
【発明の詳細な説明】
【技術分野】
【０００１】
本発明は、発光ダイオード（以下ＬＥＤ）を光源とするＬＥＤ照明装置に関する。
【背景技術】
【０００２】
近年、低消費電力であるとともに長寿命であることから、蛍光ランプの代替としてＬＥＤ照明装置が用いられる場面が増加している。図１３には従来のＬＥＤ照明装置の一例を示している（特許文献１参照）。図１３に示すＬＥＤ照明装置Ｘは、支持体９１に支持されたフレキシブル配線基板９２上に多数のＬＥＤチップ９３が配列された構成となっている。ＬＥＤ照明装置Ｘにおいては、フレキシブル配線基板９２を支持体９１から離脱させ、所望の立体的な形状を付与することが可能である。
【０００３】
図１４にはＬＥＤ照明装置Ｘを用いたデスクライトの一例を示している。図１４に示すデスクライトＹは、たとえば作業机Ｄを照明するために用いられるものであり、一端が作業机Ｄに固定されつつ変形可能なネック部９４と、ネック部９４の他端に保持される円筒部９５を備えている。円筒部９５にはフレキシブル配線基板９２が巻きつけられている。このようなデスクライトＹは直管状の蛍光灯を用いたデスクライトと同様に楕円状の照明領域９６を持つ。一般的に作業机Ｄは矩形状の表面を持つため、楕円状の照明領域９６を作業机Ｄの表面全域を含むような大きさとした場合には、作業机Ｄの外側を照らす領域が増大することになり、非効率なことになる。このため、照明領域９６は作業机Ｄの表面よりも狭く設定される。このとき、たとえば作業机Ｄの端を照らす必要がある場合に、使用者はネック部９４を手動で変形させる必要があった。
【先行技術文献】
【特許文献】
【０００４】
【特許文献１】特開２００２−８３５０６号公報
【発明の概要】
【発明が解決しようとする課題】
【０００５】
本発明は、上記した事情のもとで考え出されたものであって、必要な領域を過不足なく照明可能なＬＥＤ照明装置を提供することをその課題とする。
【課題を解決するための手段】
【０００６】
本発明によって提供されるＬＥＤ照明装置は、照射領域を照明する複数のＬＥＤチップと、上記複数のＬＥＤチップを保持する保持手段と、を備えたＬＥＤ照明装置であって、上記保持手段は、上記複数のＬＥＤチップが設置される設置面を備えており、上記設置面の上記第１の方向における両端部と、上記第１の方向における中央部とが上記第１の方向と直交する第２の方向において異なる位置にあることを特徴とする。
【０００７】
本発明の好ましい実施の形態においては、上記設置面は、上記保持手段の上記第２の方向における一方側に配置されており、上記設置面の上記第１の方向および上記第２の方向と直交する第３の方向における一方側の第１の端縁の上記第１の方向における中央部は、上記第１の端縁の上記第１の方向における両端部よりも上記第２の方向における他方側に位置し、かつ、上記第３の方向における他方側の第２の端縁の上記第１の方向における中央部よりも上記第２の方向における一方側に位置しており、上記第２の端縁の上記第１の方向における中央部は、上記第２の端縁の上記第１の方向における両端部よりも上記第２の方向における他方側に位置している。
【０００８】
好ましくは、上記第２の端縁が上記第１の端縁よりも長くなっている。
【０００９】
より好ましくは、上記設置面は、上記第２の方向における一方側ほど上記第３の方向において上記照射領域から遠ざかるように形成されており、かつ、上記第１の端縁と上記第２の端縁とを結んだ線よりも上記第２の方向における他方側に位置している。
【００１０】
より好ましくは、上記照射領域は、上記第３の方向視において一辺が上記第１の方向に沿う矩形状であり、上記保持手段は、上記第３の方向視において上記第１の方向における中央部が両端部よりも上記第２の方向における他方側に凹むように湾曲する湾曲設置部と、上記湾曲設置部を上記第３の方向において上記照射領域から離間させる支柱と、を備えており、上記支柱は上記湾曲設置部の上記第２の方向における他方側と連結されており、かつ、上記照射領域の上記第２の方向における他方側の端縁に配置されており、上記設置面は上記湾曲設置部に設けられている。
【００１１】
より好ましくは、上記湾曲設置部は上記第２の方向における一方側に基板設置面を有しており、上記保持手段は、厚み方向における一方の面で上記基板設置面と密着するフレキシブル配線基板を備えており、上記設置面は、上記フレキシブル配線基板の上記厚み方向における他方の面である。
【００１２】
より好ましくは、上記設置面は、上記第３の方向において上記照射領域との距離が異なる複数の帯状領域を有しており、上記第３の方向において上記照射領域からより近い距離にある帯状領域ほどより多数の上記ＬＥＤチップが設置されている。
【００１３】
本発明の別の好ましい実施の形態においては、上記設置面は、上記保持手段の上記第２の方向における一方側に配置されており、上記設置面の上記第１の方向および上記第２の方向と直交する第３の方向における一方側の第１の端縁の上記第１の方向における中央部は、上記第１の端縁の上記第１の方向における両端部よりも上記第２の方向における一方側に位置し、かつ、上記第３の方向における他方側の第２の端縁の上記第１の方向における中央部よりも上記第２の方向における一方側に位置しており、上記第２の端縁の上記第１の方向における中央部は、上記第２の端縁の上記第１の方向における両端部よりも上記第２の方向における一方側に位置している。
【００１４】
好ましくは、上記第１の端縁が上記第２の端縁よりも長くなっている。
【００１５】
より好ましくは、上記設置面は、上記第２の方向における一方側ほど上記第３の方向において上記照射領域から遠ざかるように形成されており、かつ、上記第１の端縁と上記第２の端縁とを結んだ線よりも上記第２の方向における一方側に位置している。
【００１６】
より好ましくは、上記照射領域は、上記第３の方向視において一辺が上記第１の方向に沿う矩形状であり、上記保持手段は、上記第３の方向視において上記第１の方向における中央部が両端部よりも上記第３の方向における一方側に突き出すように湾曲する湾曲設置部と、上記湾曲設置部を上記第３の方向において上記照射領域から離間させる支柱と、を備えており、上記支柱は上記湾曲設置部の上記第２の方向における他方側と連結されており、かつ、上記照射領域の上記第２の方向における他方側の端縁に配置されており、上記設置面は上記湾曲設置部に設けられている。
【００１７】
より好ましくは、上記湾曲設置部は上記第２の方向における一方側に基板設置面を有しており、上記保持手段は、厚み方向における一方の面で上記基板設置面と密着するフレキシブル配線基板を備えており、上記設置面は、上記フレキシブル配線基板の上記厚み方向における他方の面である。
【００１８】
より好ましくは、上記設置面は、上記第３の方向において上記照射領域との距離が異なる複数の帯状領域を有しており、上記第３の方向において上記照射領域からより遠い距離にある帯状領域ほどより多数の上記ＬＥＤチップが設置されている。
【００１９】
好ましい実施の形態においては、上記設置面は、複数の区域に区画されており、上記各区域は上記複数のＬＥＤチップのうち少なくとも１以上のＬＥＤチップが設置されており、上記複数のＬＥＤチップを設置されている区域ごとに分けて制御する制御手段を有している。
【００２０】
このような構成によれば、上記設置面の両端が従来の説明で例示した単純な円筒の側面に沿ってＬＥＤモジュールを配列した場合と比べて、ＬＥＤチップからの光をより効率的に利用することができる。本発明の好ましい実施の形態では、上記湾曲設置部に上記ＬＥＤチップを設置することにより、照明する必要がない領域に向かって光を出射するＬＥＤチップの数を減らすことが可能となる。この構成は必要な領域を過不足なく照明するＬＥＤ照明装置を実現する上で有利である。
【００２１】
本発明のその他の特徴および利点は、添付図面を参照して以下に行う詳細な説明によって、より明らかとなろう。
【図面の簡単な説明】
【００２２】
【図１】本発明の第１実施形態に基づくＬＥＤ照明装置を示す斜視図である。
【図２】図１に示すＬＥＤ照明装置の平面図である。
【図３】図１に示すＬＥＤ照明装置の底面図である。
【図４】図２のＩＶ−ＩＶ線に沿う断面図である。
【図５】図１におけるフレキシブル配線基板を示す図である。
【図６】本発明の第２実施形態に基づくＬＥＤ照明装置を示す断面図である。
【図７】本発明の第３実施形態に基づくＬＥＤ照明装置を示す斜視図である。
【図８】図７に示すＬＥＤ照明装置の平面図である。
【図９】図７に示すＬＥＤ照明装置の底面図である。
【図１０】図８のＸ−Ｘ線に沿う断面図である。
【図１１】図７におけるフレキシブル配線基板を示す図である。
【図１２】本発明の第４実施形態に基づくＬＥＤ照明装置を示す断面図である。
【図１３】従来のＬＥＤ照明装置の一例を示す平面図である。
【図１４】図１３に示すＬＥＤ照明装置を用いたデスクライトの一例を示す斜視図である。
【発明を実施するための形態】
【００２３】
以下、本発明の好ましい実施の形態につき、図面を参照して具体的に説明する。
【００２４】
図１〜図５は、本発明の第１実施形態に基づくＬＥＤ照明装置の一例を示している。本実施形態のＬＥＤ照明装置Ａ１は、たとえばＡ１サイズ（５９４ｍｍｘ８４１ｍｍ）の作業机Ｄの表面を照射対象としており、デスクライトとして用いられるものである。作業机Ｄは、たとえばＡ１サイズの図面をチェックする作業などに用いられる。以降の説明において、図１に示すように、作業机Ｄの長手方向をｘ方向とし、短手方向をｙ方向とし、作業机Ｄの表面と垂直な方向をｚ方向とする。なお、本発明における第１，２，３の方向はｘ，ｙ，ｚ方向に対応している。
【００２５】
ＬＥＤ照明装置Ａ１は、支持体１と、フレキシブル配線基板２と、複数のＬＥＤモジュール３と、配線部材４と、制御手段５とを備えている。支持体１およびフレキシブル配線基板２は複数のＬＥＤモジュール３を保持する保持手段である。図１に示すように、支持体１は、作業机Ｄの端縁に固定される固定金具１１と、支柱１２と、連結具１３と、湾曲設置部１４とを備えている。図５にはフレキシブル配線基板２を支持体１に取り付ける前の状態を示している。
【００２６】
固定金具１１は、ｘ方向視においてコの字状に形成されており、作業机Ｄの端縁をｚ方向において挟み、作業机Ｄの裏面側からネジ金具１１１で締めることにより作業机Ｄに固定される。本実施形態では、固定金具１１を作業机Ｄのｘ方向における中央に固定する。
【００２７】
支柱１２は、固定金具１１からｚ方向に起立するように形成されている。支柱１２の内部には配線部材４を通すための空洞部１２１が形成されている。連結具１３は、支柱１２のｚ方向における図４中上端に連結されており、空洞部１２１と繋がる空洞部１３１を有している。この空洞部１３１には制御手段５が設置されている。空洞部１２１から空洞部１３１に引き込まれた配線部材４は制御手段５に接続されている。連結具１３のｙ方向における図４中右端部には湾曲設置部１４が固定されている。
【００２８】
湾曲設置部１４は、図１に示すように、ｙ方向における一方側にフレキシブル配線基板２が設置される基板設置面１４１を有している。図２に示すように、湾曲設置部１４はｚ方向視においてｘ方向における中央部がｙ方向における他方側（図２中下方）に凹むように湾曲している。湾曲設置部１４のｚ方向における一方の端縁１４ａは、ｘ方向に長い楕円の半周に沿うような形状となっている。湾曲設置部１４のｚ方向における他方の端縁１４ｂも、ｘ方向に長い楕円の半周に沿うような形状であり、楕円の径方向において一方の端縁１４ａよりも外方に位置している。湾曲設置部１４は、一方の端縁１４ａと他方の端縁１４ｂとを繋ぐ板状である。図４に示すように、湾曲設置部１４のｘ方向における中央の断面はｚ方向における一方（図４中上方）ほどｙ方向における一方（図４中右方）に位置するように傾斜している。かつ、湾曲設置部１４の断面は、一方の端縁１４ａのｙ方向における一方の端と他方の端縁１４ｂのｙ方向における一方の端とを繋ぐ線よりも基板設置面１４１がｙ方向における他方側に位置するように凹んでいる。
【００２９】
基板設置面１４１は、一方の端縁１４ａのｙ方向における一方の端と他方の端縁１４ｂのｙ方向における一方の端とを繋ぐ、略円弧状の断面を有する凹曲面に形成されている。フレキシブル配線基板２は基板設置面１４１のほぼ全体を覆うように設置されている。また、図４に示すように、湾曲設置部１４は、ｙ方向に貫通する貫通部１４２を有している。この貫通部１４２には制御手段５とフレキシブル配線基板２とを接続する配線４１が配置されている。
【００３０】
フレキシブル配線基板２の基板設置面１４１と接触しない側の面が設置面２０であり、この設置面２０にはたとえば図示しない銀ペーストを介して多数のＬＥＤモジュール３が設置されている。図４に示すように、フレキシブル配線基板２はほぼ一定の厚みを有するように形成されており、設置面２０は基板設置面１４１に沿う形状となる。なお、図４では、断面に現われるＬＥＤモジュール３のみを示しており、その他のＬＥＤモジュール３を省略している。
【００３１】
設置面２０のｚ方向における一方側（図４中上方側）に位置する第１の端縁２１は、湾曲設置部１４の一方の端縁１４ａに沿うように形成されている。設置面２０のｚ方向における他方側（図４中下方側）に位置する第２の端縁２２は、湾曲設置部１４の他方の端縁１４ｂに沿うように形成されている。第２の端縁２２は、第１の端縁２１よりも長くなっている。第１の端縁２１のｘ方向における中央部は、両端部よりもｙ方向における他方側に位置しており、かつ、第２の端縁２２のｘ方向における中央部よりもｙ方向における一方側に位置している。第２の端縁２２のｘ方向における中央部は、両端部よりもｙ方向における他方側に位置している。また、設置面２０は、基板設置面１４１の形状に沿うため、ｙ方向における一方側ほど、ｚ方向において作業机Ｄから遠ざかるように形成されている。設置面２０は、第１の端縁２１と第２の端縁２２とを結ぶ線よりもｙ方向における他方側に位置するように凹んでいる。この凹みのため、設置面２０に設置されるＬＥＤモジュール３の光出射方向は、ｚ方向における位置によって異なるものとなる。たとえば、第１の端縁２１付近に設置されるＬＥＤモジュール３は、比較的ｚ方向に近い方向に沿って光を出射し、第２の端縁２２付近に設置されるＬＥＤモジュール３は比較的ｙ方向に近い方向に沿って光を出射する。このため、設置面２０のｚ方向における一方側に配置されたＬＥＤモジュール３はｙ方向において設置面２０に近い領域を照明するのに適している。逆に、ｚ方向における他方側に配置されたＬＥＤモジュール３はｙ方向において設置面２０から遠い領域を照明するのに適している。
【００３２】
フレキシブル配線基板２は、たとえば、図３および図５に示すように９つの区域２１１，２１２，２１３，２２１，２２２，２２３，２３１，２３２，２３３に区分されている。区域２１１，２１２，２１３は図５中左方の図５中上から下へ順に配列されている。区域２２１，２２２，２２３は図５中中央の図５中上から下へ順に配列されている。区域２３１，２３２，２３３は図５中右方の図５中上から下へ順に配列されている。フレキシブル配線基板２を基板設置面１４１に接着させた状態では、区域２１３，２２３，２３３がｚ方向において作業机Ｄの表面から最も近い距離にある帯状領域となる。区域２１２，２２２，２３２はｚ方向において作業机Ｄの表面から中程度の距離にある帯状領域であり、区域２１１，２２１，２３１は最も遠い距離にある帯状領域となる。また、区域２２１，２２２，２２３はｘ方向における中央に位置し、区域２１１，２１２，２１３および区域２３１，２３２，２３３はｘ方向において区域２２１，２２２，２２３を挟むように配置されている。
【００３３】
本実施形態では、図２および図３に示すように、作業机Ｄの表面を９つの領域ｄ１１，ｄ１２，ｄ１３，ｄ２１，ｄ２２，ｄ２３，ｄ３１，ｄ３２，ｄ３３に区画する。区域２１１には領域ｄ１１を照明するためのＬＥＤモジュール３を配置する。区域２１２には領域ｄ１２を照明するためのＬＥＤモジュール３を配置する。区域２１３には領域ｄ１３を照明するためのＬＥＤモジュール３を配置する。区域２２１には領域ｄ２１を照明するためのＬＥＤモジュール３を配置する。区域２２２には領域ｄ２２を照明するためのＬＥＤモジュール３を配置する。区域２２３には領域ｄ２３を照明するためのＬＥＤモジュール３を配置する。区域２３１には領域ｄ３１を照明するためのＬＥＤモジュール３を配置する。区域２３２には領域ｄ３２を照明するためのＬＥＤモジュール３を配置する。区域２３３には領域ｄ３３を照明するためのＬＥＤモジュール３を配置する。
【００３４】
各区域２１１〜２１３，２２１〜２２３，２３１〜２３３に配置されるＬＥＤモジュール３の個数は、その区域と照明する目標の領域との距離に応じて定められる。図５にはＬＥＤモジュール３の配置例を示している。なお、図５に示す例は説明のための簡略な例である。また、区域および領域をより多数設定しても構わない。
【００３５】
領域ｄ２１は他の８個の領域と比べてＬＥＤ照明装置Ａ１に最も近い位置にあり、領域ｄ２１と区域２２１との距離は比較的近くなっている。このため、領域ｄ２１を良好に照明するのに必要なＬＥＤモジュール３の個数は比較的少なくてよく、図５に示す例では１個としている。次に距離が小さいのは、領域ｄ１１と区域２１１の組み合わせおよび領域ｄ３１と区域２３１との組み合わせである。このことから、図５に示す例では、区域２１１，２３１に設置されるＬＥＤモジュール３の個数は２個としている。このように照明する目標の領域との距離が遠い区域にはより多くのＬＥＤモジュール３を設置する。区域２２２には３個のＬＥＤモジュール３が設置されている。区域２１２，２３２には４個のＬＥＤモジュール３が設置されている。区域２２３には５個のＬＥＤモジュール３が設置されている。区域２１３，２３３には６個のＬＥＤモジュール３が設置されている。
【００３６】
図５に示す例では、区域２１１，２２１，２３１からなる帯状領域には５個のＬＥＤモジュール３が設置されており、区域２１２，２２２，２３２からなる帯状領域には１１個のＬＥＤモジュール３が設置されており、区域２１３，２２３，２３３からなる帯状領域には１７個のＬＥＤモジュール３が設置されていることになる。
【００３７】
各ＬＥＤモジュール３は、たとえばＬＥＤチップを封止樹脂で覆ったものである。ＬＥＤチップをたとえば青色光を発光可能なものとする。封止樹脂は、ＬＥＤチップからの光によって励起されることにより黄色光を発する蛍光物質を含む透光樹脂を用いて形成されている。これにより、ＬＥＤモジュール３は、白色を照射することができる。上記蛍光物質としては、黄色光を発するものに代えて、赤色光を発するものと緑色光を発するものとを混合して用いてもよい。必要に応じてＬＥＤモジュール３内に反射部材を設けても構わない。フレキシブル配線基板２上に形成された図示しない配線パターンを介し、各ＬＥＤモジュール３は制御手段５と接続されている。
【００３８】
配線部材４は、商用電源などの外部電源と接続され、制御手段５に電力を供給する。また、配線部材４は図示しない点灯指示手段に接続されている。ＬＥＤ照明装置Ａ１の使用者が点灯指示手段を介してＬＥＤ照明装置Ａ１の点灯を指示するとき、制御手段５は各ＬＥＤモジュール３に電力を供給する。逆に、使用者が点灯指示手段を介してＬＥＤ照明装置Ａ１の消灯を指示するとき、制御手段５は各ＬＥＤモジュール３への電力供給を停止する。
【００３９】
制御手段５は、たとえば複数の半導体素子を有する電子回路であり、各区域２１１，２１２，２１３，２２１，２２２，２２３，２３１，２３２，２３３に配置されたＬＥＤモジュール３に対して区域ごとに異なる制御を行う。具体的には、ＬＥＤ照明装置Ａ１を点灯させたときに作業机Ｄの９つの領域ｄ１１，ｄ１２，ｄ１３，ｄ２１，ｄ２２，ｄ２３，ｄ３１，ｄ３２，ｄ３３が同程度の明るさで照明されるように、制御手段５は区域２１１，２１２，２１３，２２１，２２２，２２３，２３１，２３２，２３３に供給する電力を調整する。
【００４０】
たとえば、図５に示すＬＥＤモジュール３の配置例では、区域２２１に設置されるＬＥＤモジュール３の個数は１個であり、区域２２３に設置させるＬＥＤモジュール３の個数は５個となっている。区域２２１と領域ｄ２１との距離は区域２２３と領域ｄ２３との距離に比べて小さくなっているが、複数のＬＥＤモジュール３に均一な電流を流した場合には領域ｄ２１は領域ｄ２３よりも暗くなる可能性がある。このため、制御手段５は、区域２２１に配置されるＬＥＤモジュール３には、区域２２３に配置される各ＬＥＤモジュール３よりも大きな電流を流す制御を行う。なお、領域ｄ２１が領域ｄ２３よりも明るくなる場合には、制御手段５は、逆に区域２２１に配置されるＬＥＤモジュール３には区域２２３に配置される各ＬＥＤモジュール３よりも小さな電流を流す。
【００４１】
次に、ＬＥＤ照明装置Ａ１の作用について説明する。
【００４２】
上述した実施形態では、複数のＬＥＤモジュール３が設置されたフレキシブル配線基板２が湾曲設置部１４の基板設置面１４１に取り付けられている。このような構成によれば湾曲設置部１４のｘ方向における両端部に設置されるＬＥＤモジュール３は、作業机Ｄのｘ方向における両端寄りの領域ｄ１１，ｄ１２，ｄ１３，ｄ３１，ｄ３２，ｄ３３に向けて光を出射しやすくなっている。このため、ＬＥＤ照明装置Ａ１では、複数のＬＥＤモジュール３が作業机Ｄの形状に合わせて配置されており、従来の説明の図１４に示すＬＥＤ照明装置Ｙでは困難であった矩形状の照明領域を実現しやすくなっている。従って、ＬＥＤ照明装置Ａ１は、必要な領域を過不足なく照明しやすい構成となっている。
【００４３】
本実施形態では、フレキシブル配線基板２の区域２１１，２１２，２１３，２２１，２２２，２２３，２３１，２３２，２３３においてＬＥＤモジュール３の配置数を調整することにより、領域ｄ１１，ｄ１２，ｄ１３，ｄ２１，ｄ２２，ｄ２３，ｄ３１，ｄ３２，ｄ３３に到達する光量の均一化を図っている。さらに、区域２１１，２１２，２１３，２２１，２２２，２２３，２３１，２３２，２３３ごとにＬＥＤモジュール３に供給する電力を調整することで、領域ｄ１１，ｄ１２，ｄ１３，ｄ２１，ｄ２２，ｄ２３，ｄ３１，ｄ３２，ｄ３３における明るさをほぼ均一なものとすることができる。
【００４４】
上述したように、ＬＥＤ照明装置Ａ１は作業机Ｄの全面をほぼ均一な明るさで照明することができる。このため、ＬＥＤ照明装置Ａ１においては湾曲設置部１４の位置を変更する必要がない。このことは使用者の負担を減らすとともに、支持体１の構成を簡略化する上で有利に作用する。
【００４５】
なお、区域２１１，２１２，２１３，２２１，２２２，２２３，２３１，２３２，２３３に均一にＬＥＤモジュール３を配列し、制御手段５による電力供給調整のみで領域ｄ１１，ｄ１２，ｄ１３，ｄ２１，ｄ２２，ｄ２３，ｄ３１，ｄ３２，ｄ３３における明るさを均一なものとするようにしても構わない。
【００４６】
また、フレキシブル配線基板２の各区域２１１，２１２，２１３，２２１，２２２，２２３，２３１，２３２，２３３に異なる抵抗を持つ電気抵抗を設けることで、各区域の各ＬＥＤモジュール３に供給される電力を調整しても構わない。
【００４７】
図６〜図１２は、本発明の他の実施形態を示している。なお、これらの図において、上記実施形態と同一または類似の要素には、上記実施形態と同一の符号を付しており、適宜説明を省略する。
【００４８】
図６は本発明の第２実施形態に基づくＬＥＤ照明装置を示している。図６に示すＬＥＤ照明装置Ａ２は、カバー６を備えており、その他の構成はＬＥＤ照明装置Ａ１と同様となっている。
【００４９】
カバー６は、連結具１３および湾曲設置部１４のｚ方向一方側に設置される天井部６１と、天井部６１のｙ方向における一方側の端縁からｚ方向の他方に突出する遮光板部６２とを備えている。図６に示すように、遮光板部６２は、第１の端縁２１近くに設置されたＬＥＤモジュール３からｙ方向に出射される光を遮断する一方、ｚ方向寄りに出射される光を通すように構成されている。
【００５０】
ＬＥＤ照明装置Ａ２は、ＬＥＤ照明装置Ａ１と同様に作業机Ｄを照明するためのものである。ｙ方向に進行する光は作業机Ｄを照明するのに用いられない光であり、付近の人間にとって眩しく感じられ迷惑になることが起こりえる。このような事態は上述したようなカバー６を設けることにより防ぐことが可能である。
【００５１】
図７〜１１は本発明の第３実施形態に基づくＬＥＤ照明装置を示している。本実施形態のＬＥＤ照明装置Ａ３は、たとえばＡ１サイズ（５９４ｍｍｘ８４１ｍｍ）の作業机Ｄの表面を照射対象としており、デスクライトとして用いられるものである。作業机Ｄは、たとえばＡ１サイズの図面をチェックする作業などに用いられる。図７に示すように、作業机Ｄの長手方向をｘ方向とし、短手方向をｙ方向とし、作業机Ｄの表面と垂直な方向をｚ方向とする。なお、本発明における第１，２，３の方向はｘ，ｙ，ｚ方向に対応している。
【００５２】
ＬＥＤ照明装置Ａ３は、支持体１と、フレキシブル配線基板２と、複数のＬＥＤモジュール３と、配線部材４と、制御手段５とを備えている。支持体１およびフレキシブル配線基板２は複数のＬＥＤモジュール３を保持する保持手段である。図７に示すように、支持体１は、作業机Ｄの端縁に固定される固定金具１１と、支柱１２と、連結具１３と、湾曲設置部１４とを備えている。図１１にはフレキシブル配線基板２を支持体１に取り付ける前の状態を示している。
【００５３】
固定金具１１は、ｘ方向視においてコの字状に形成されており、作業机Ｄの端縁をｚ方向において挟み、作業机Ｄの裏面側からネジ金具１１１で締めることにより作業机Ｄに固定される。本実施形態では、固定金具１１を作業机Ｄのｘ方向における中央に固定する。
【００５４】
支柱１２は、固定金具１１からｚ方向に起立するように形成されている。支柱１２の内部には配線部材４を通すための空洞部１２１が形成されている。連結具１３は、支柱１２に嵌合する挿通孔１３２を有し、支柱１２と湾曲設置部１４とを連結している。さらに、連結具１３は配線部材４を通すための空洞部１３３を有している。
【００５５】
湾曲設置部１４は、図１０に示すように、ｚ方向に対して垂直な水平壁面１４３と、水平壁面１４３の図中左端からｚ方向に延びる壁面１４４と、水平壁面１４３のｙ方向図中右端と壁面１４４のｚ方向図中下端とを繋ぐ基板設置面１４５とを有している。湾曲設置部１４には制御手段５を収容するための空洞部１４６が形成されている。空洞部１４６は空洞部１３３と繋がっており、空洞部１３３から引き込まれた配線部材４が制御手段５に接続されている。
【００５６】
水平壁面１４３は、図８に示すように、ｚ方向視においてｘ方向における中央部がｙ方向における一方側（図８中上方）に突き出すように湾曲している。水平壁面１４３のｙ方向における一方側の端縁は略円弧状の曲線であり、他方側の端縁は一方側の端縁よりも短い略円弧状の曲線である。壁面１４４は水平壁面１４３の他方側の端縁に沿って設けられている。壁面１４４のｚ方向における図１０中下端縁は水平壁面１４３のｙ方向における他方側の端縁と重なる曲線となる。
【００５７】
基板設置面１４５は、図１０に示すように、断面が略円弧状の曲線となるように形成されている。基板設置面１４５の図１０中上端縁は水平壁面１４３のｙ方向における一方側の端縁と一致している。基板設置面１４５の図１０中下端縁は壁面１４４のｚ方向における図１０中下端縁と一致している。フレキシブル配線基板２は基板設置面１４５に貼り付けられている。基板設置面１４５には、空洞部１４６に繋がる図示しない貫通孔が設けられており、この貫通孔を通る図示しない配線によりフレキシブル配線基板２と制御手段５とが接続されている。
【００５８】
フレキシブル配線基板２の基板設置面１４５と接触しない側の面が設置面２０であり、この設置面２０にはたとえば図示しない銀ペーストを介して多数のＬＥＤモジュール３が設置されている。図１０に示すように、フレキシブル配線基板２はほぼ一定の厚みを有するように形成されており、設置面２０は基板設置面１４５に沿う形状となる。設置面２０のｚ方向における一方側（図１０中上方）に位置する第１の端縁２１は、水平壁面１４３のｙ方向における一方側の端縁付近に位置している。設置面２０のｚ方向における他方側（図１０中下方）に位置する第２の端縁２２は、壁面１４４のｚ方向における図１０中下端縁付近に位置している。図８に示すように第１の端縁２１は、ｚ方向視においてｘ方向における中央部が両端部よりもｙ方向における一方側に突き出す略円弧状の曲線となっている。第２の端縁２２は、ｚ方向視においてｘ方向における中央部が両端部よりもｙ方向における一方側に突き出す略円弧状の曲線となっている。第１の端縁２１のｘ方向における中央部は、第２の端縁２２のｘ方向における中央部よりもｙ方向における一方側に位置している。第１の端縁２１のｘ方向における両端部は、第２の端縁２２のｘ方向における両端部よりもｙ方向における一方側に位置している。
【００５９】
フレキシブル配線基板２は、たとえば、図９および図１１に示すように９つの区域２１１，２１２，２１３，２２１，２２２，２２３，２３１，２３２，２３３に区分されている。区域２１１，２１２，２１３は図１１中右方の図１１中下から上へ順に配列されている。区域２２１，２２２，２２３は図１１中中央の図１１中下から上へ順に配列されている。区域２３１，２３２，２３３は図１１中左方の図１１中下から上へ順に配列されている。フレキシブル配線基板２を基板設置面１４５に接着させた状態では、区域２１１，２２１，２３１がｚ方向において作業机Ｄの表面から最も近い距離にある帯状領域となる。区域２１２，２２２，２３２はｚ方向において作業机Ｄの表面から中程度の距離にある帯状領域であり、区域２１３，２２３，２３３は最も遠い距離にある帯状領域となる。また、区域２２１，２２２，２２３はｘ方向における中央に位置し、区域２１１，２１２，２１３および区域２３１，２３２，２３３はｘ方向において区域２２１，２２２，２２３を挟むように配置されている。
【００６０】
本実施形態では、図８および図９に示すように、作業机Ｄの表面を９つの領域ｄ１１，ｄ１２，ｄ１３，ｄ２１，ｄ２２，ｄ２３，ｄ３１，ｄ３２，ｄ３３に区画する。区域２１１には領域ｄ１１を照明するためのＬＥＤモジュール３を配置する。区域２１２には領域ｄ１２を照明するためのＬＥＤモジュール３を配置する。区域２１３には領域ｄ１３を照明するためのＬＥＤモジュール３を配置する。区域２２１には領域ｄ２１を照明するためのＬＥＤモジュール３を配置する。区域２２２には領域ｄ２２を照明するためのＬＥＤモジュール３を配置する。区域２２３には領域ｄ２３を照明するためのＬＥＤモジュール３を配置する。区域２３１には領域ｄ３１を照明するためのＬＥＤモジュール３を配置する。区域２３２には領域ｄ３２を照明するためのＬＥＤモジュール３を配置する。区域２３３には領域ｄ３３を照明するためのＬＥＤモジュール３を配置する。
【００６１】
各区域２１１〜２１３，２２１〜２２３，２３１〜２３３に配置されるＬＥＤモジュール３の個数は、その区域と照明する目標の領域との距離に応じて定められる。図１１にはＬＥＤモジュール３の配置例を示している。なお、図１１に示す例は説明のための簡略な例である。また、区域および領域をより多数設定しても構わない。
【００６２】
領域ｄ２１は他の８個の領域と比べてＬＥＤ照明装置Ａ３に最も近い位置にあり、領域ｄ２１と区域２２１との距離は比較的近くなっている。このため、領域ｄ２１を良好に照明するのに必要なＬＥＤモジュール３の個数は比較的少なくてよく、図１１に示す例では１個としている。次に距離が小さいのは、領域ｄ１１と区域２１１の組み合わせおよび領域ｄ３１と区域２３１との組み合わせである。このことから、図１１に示す例では、区域２１１，２３１に設置されるＬＥＤモジュール３の個数は２個としている。このように照明する目標の領域との距離が遠い区域にはより多くのＬＥＤモジュール３を設置する。区域２２２には３個のＬＥＤモジュール３が設置されている。区域２１２，２３２には４個のＬＥＤモジュール３が設置されている。区域２３２には５個のＬＥＤモジュール３が設置されている。区域２３１，２３３には６個のＬＥＤモジュール３が設置されている。
【００６３】
図１１に示す例では、区域２１１，２２１，２３１からなる帯状領域には５個のＬＥＤモジュール３が設置されており、区域２１２，２２２，２３２からなる帯状領域には１１個のＬＥＤモジュール３が設置されており、区域２１３，２２３，２３３からなる帯状領域には１７個のＬＥＤモジュール３が設置されていることになる。
【００６４】
各ＬＥＤモジュール３は、たとえばＬＥＤチップを封止樹脂で覆ったものである。ＬＥＤチップをたとえば青色光を発光可能なものとする。封止樹脂は、ＬＥＤチップからの光によって励起されることにより黄色光を発する蛍光物質を含む透光樹脂を用いて形成されている。これにより、ＬＥＤモジュール３は、白色を照射することができる。上記蛍光物質としては、黄色光を発するものに代えて、赤色光を発するものと緑色光を発するものとを混合して用いてもよい。必要に応じてＬＥＤモジュール３内に反射部材を設けても構わない。フレキシブル配線基板２上に形成された図示しない配線パターンを介し、各ＬＥＤモジュール３は制御手段５と接続されている。
【００６５】
配線部材４は、商用電源などの外部電源と接続され、制御手段５に電力を供給する。また、配線部材４は図示しない点灯指示手段に接続されている。ＬＥＤ照明装置Ａ３の使用者が点灯指示手段を介してＬＥＤ照明装置Ａ３の点灯を指示するとき、制御手段５は各ＬＥＤモジュール３に電力を供給する。逆に、使用者が点灯指示手段を介してＬＥＤ照明装置Ａ３の消灯を指示するとき、制御手段５は各ＬＥＤモジュール３への電力供給を停止する。
【００６６】
制御手段５は、たとえば複数の半導体素子を有する電子回路であり、各区域２１１，２１２，２１３，２２１，２２２，２２３，２３１，２３２，２３３に配置されたＬＥＤモジュール３に対して区域ごとに異なる制御を行う。具体的には、ＬＥＤ照明装置Ａ３を点灯させたときに作業机Ｄの９つの領域ｄ１１，ｄ１２，ｄ１３，ｄ２１，ｄ２２，ｄ２３，ｄ３１，ｄ３２，ｄ３３が同程度の明るさで照明されるように、制御手段５は区域２１１，２１２，２１３，２２１，２２２，２２３，２３１，２３２，２３３に供給する電力を調整する。
【００６７】
たとえば、図１１に示すＬＥＤモジュール３の配置例では、区域２２１に設置されるＬＥＤモジュール３の個数は１個であり、区域２２３に設置させるＬＥＤモジュール３の個数は５個となっている。区域２２１と領域ｄ２１との距離は区域２２３と領域ｄ２３との距離に比べて小さくなっているが、複数のＬＥＤモジュール３に均一な電流を流した場合には領域ｄ２１は領域ｄ２３よりも暗くなる可能性がある。このため、制御手段５は、区域２２１に配置されるＬＥＤモジュール３には、区域２２３に配置される各ＬＥＤモジュール３よりも大きな電流を流す制御を行う。なお、領域ｄ２１が領域ｄ２３よりも明るくなる場合には、制御手段５は、逆に区域２２１に配置されるＬＥＤモジュール３には区域２２３に配置される各ＬＥＤモジュール３よりも小さな電流を流す。
【００６８】
次に、ＬＥＤ照明装置Ａ３の作用について説明する。
【００６９】
上述した実施形態では、複数のＬＥＤモジュール３が設置されたフレキシブル配線基板２が湾曲設置部１４の基板設置面１４５に取り付けられている。このような構成によれば湾曲設置部１４のｘ方向における両端部に設置されるＬＥＤモジュール３は、作業机Ｄのｘ方向における両端寄りの領域ｄ１１，ｄ１２，ｄ１３，ｄ３１，ｄ３２，ｄ３３に向けて光を出射しやすくなっている。このため、ＬＥＤ照明装置Ａ３では、複数のＬＥＤモジュール３が作業机Ｄの形状に合わせて配置されており、従来の説明の図１４に示すＬＥＤ照明装置Ｙでは困難であった矩形状の照明領域を実現しやすくなっている。従って、ＬＥＤ照明装置Ａ３は、必要な領域を過不足なく照明しやすい構成となっている。
【００７０】
本実施形態では、フレキシブル配線基板２の区域２１１，２１２，２１３，２２１，２２２，２２３，２３１，２３２，２３３においてＬＥＤモジュール３の配置数を調整することにより、領域ｄ１１，ｄ１２，ｄ１３，ｄ２１，ｄ２２，ｄ２３，ｄ３１，ｄ３２，ｄ３３に到達する光量の均一化を図っている。さらに、区域２１１，２１２，２１３，２２１，２２２，２２３，２３１，２３２，２３３ごとにＬＥＤモジュール３に供給する電力を調整することで、領域ｄ１１，ｄ１２，ｄ１３，ｄ２１，ｄ２２，ｄ２３，ｄ３１，ｄ３２，ｄ３３における明るさをほぼ均一なものとすることができる。
【００７１】
上述したように、ＬＥＤ照明装置Ａ３は作業机Ｄの全面をほぼ均一な明るさで照明することができる。このため、ＬＥＤ照明装置Ａ３においては湾曲設置部１４の位置を変更する必要がない。このことは使用者の負担を減らすとともに、支持体１の構成を簡略化する上で有利に作用する。
【００７２】
なお、区域２１１，２１２，２１３，２２１，２２２，２２３，２３１，２３２，２３３に均一にＬＥＤモジュール３を配列し、制御手段５による電力供給調整のみで領域ｄ１１，ｄ１２，ｄ１３，ｄ２１，ｄ２２，ｄ２３，ｄ３１，ｄ３２，ｄ３３における明るさを均一なものとするようにしても構わない。
【００７３】
また、フレキシブル配線基板２の各区域２１１，２１２，２１３，２２１，２２２，２２３，２３１，２３２，２３３に異なる抵抗を持つ電気抵抗を設けることで、各区域の各ＬＥＤモジュール３に供給される電力を調整しても構わない。
【００７４】
図１２は本発明の第４実施形態に基づくＬＥＤ照明装置を示している。図１２に示すＬＥＤ照明装置Ａ４は、カバー６を備えており、その他の構成はＬＥＤ照明装置Ａ３と同様となっている。
【００７５】
カバー６は、連結具１３および湾曲設置部１４のｚ方向一方側に設置される天井部６１と、天井部６１のｙ方向における一方側の端縁からｚ方向の他方に突出する遮光板部６２とを備えている。図１２に示すように、遮光板部６２は、第１の端縁２１近くに設置されたＬＥＤモジュール３からｙ方向に出射される光を遮断する一方、ｚ方向寄りに出射される光を通すように構成されている。
【００７６】
ＬＥＤ照明装置Ａ４は、ＬＥＤ照明装置Ａ３と同様に作業机Ｄを照明するためのものである。ｙ方向に進行する光は作業机Ｄを照明するのに用いられない光であり、付近の人間にとって眩しく感じられ迷惑になることが起こりえる。このような事態は上述したようなカバー６を設けることにより防ぐことが可能である。
【００７７】
本発明に係るＬＥＤ照明装置は、上述した実施形態に限定されるものではない。本発明に係るＬＥＤ照明装置の各部の具体的な構成は、種々に設計変更自在である。たとえば、上記実施形態では、フレキシブル配線基板２および複数のＬＥＤモジュール３が露出する構成であるが、これらを覆う白色カバーを設けてもよい。
【００７８】
また、上記実施形態では、ＬＥＤチップを内蔵したＬＥＤモジュール３をフレキシブル配線基板２に設置しているが、ＬＥＤチップを直接フレキシブル配線基板２に設置する構成としても構わない。
【符号の説明】
【００７９】
Ａ１〜Ａ４  ＬＥＤ照明装置
Ｄ      作業机
ｘ，ｙ、ｚ  方向
ｄ１１，ｄ１２，ｄ１３，ｄ２１，ｄ２２，ｄ２３，ｄ３１，ｄ３２，ｄ３３  領域
１      支持体
１１    固定金具
１１１  ネジ金具
１２    支柱
１２１  空洞部
１３    連結具
１３１  空洞部
１３２  挿通孔
１３３  空洞部
１４    湾曲設置部
１４１  基板設置面
１４２  貫通部
１４３  水平壁面
１４４  壁面
１４５  基板設置面
１４６  空洞部
２      フレキシブル配線基板
２０    設置面
２１    第１の端縁
２２    第２の端縁
２１１，２１２，２１３，２２１，２２２，２２３，２３１，２３２，２３３  区域
３      ＬＥＤモジュール
４      配線部材
５      制御手段
６      カバー
６１    天井部
６２    遮光板部
【図１】
2012150898.tif 000003
【図２】
2012150898.tif 000004
【図３】
2012150898.tif 000005
【図４】
2012150898.tif 000006
【図５】
2012150898.tif 000007
【図６】
2012150898.tif 000008
【図７】
2012150898.tif 000009
【図８】
2012150898.tif 000010
【図９】
2012150898.tif 000011
【図１０】
2012150898.tif 000012
【図１１】
2012150898.tif 000013
【図１２】
2012150898.tif 000014
【図１３】
2012150898.tif 000015
【図１４】
2012150898.tif 000016